(57)【要約】【課題】  光ディスク装置の半導体レーザの消費電力量と温度上昇を抑える制御手段を提供する。【解決手段】  光ディスクに対するデータ記録動作またはデータ再生動作を行うための録再準備動作であって、起動動作、シーク動作、アドレス読み動作またはアイドリング動作の少なくともいずれかの録再準備動作時に、所定の再生区間と休止区間からなる間欠周期で半導体レーザを間欠発光させるレーザ制御手段と、前記再生区間にフォーカス誤差（ＦＥ）信号およびトラッキング誤差（ＴＥ）信号を検出する信号検出手段と、前記ＦＥ信号およびＴＥ信号に基づいて、それぞれフォーカシング制御およびトラッキング制御を実施するサーボ制御手段と、を有した光ディスク装置として、記録再生時以外の半導体レーザの消費電力と温度上昇を低減して、光ディスク装置トータルの電力消費を抑え、半導体レーザの動作寿命を延ばす。【選択図】  図１
2004355795.tif 000002
【特許請求の範囲】
【請求項１】
光ディスクに照射するためのレーザ光を生成するレーザ発光部と、
前記レーザ発光部の発光動作を制御するレーザ制御部と
を備え、
前記レーザ制御部は、第１の動作時には第１の周期で前記レーザ発光部を発光させ、第２の動作時には第２の周期で前記レーザ発光部を発光させ、
前記第１の周期と前記第２の周期とは互いに異なる周期である、光ディスク装置。
【請求項２】
前記第１の周期および前記第２の周期のうちの少なくとも一方の前記レーザ発光部が発光する区間の長さと前記レーザ発光部が発光しない区間の長さとは互いに異なる、請求項１に記載の光ディスク装置。
【請求項３】
前記レーザ発光部が発光する区間の長さは、前記レーザ発光部が発光しない区間の長さよりも短い、請求項２に記載の光ディスク装置。
【請求項４】
前記第１の動作は、前記光ディスクから情報を読み出す準備をするための読み出し準備動作であり、
前記第２の動作は、前記光ディスクから前記情報を読み出すための読み出し動作である、請求項１に記載の光ディスク装置。
【請求項５】
前記第１の動作は、前記光ディスクから情報を読み出す準備をするための第１の読み出し準備動作であり、
前記第２の動作は、前記光ディスクから前記情報を読み出す準備をするための第２の読み出し準備動作である、請求項１に記載の光ディスク装置。
【請求項６】
前記第１の動作は、前記光ディスクに情報を記録する準備をするための第１の記録準備動作であり、
前記第２の動作は、前記光ディスクに前記情報を記録する準備をするための第２の記録準備動作である、請求項１に記載の光ディスク装置。
【請求項７】
前記第１の動作は、前記光ディスクから情報を読み出す準備をするための読み出し準備動作と前記光ディスクから前記情報を読み出すための読み出し動作との両方を実行しない状態において、フォーカシング制御およびトラッキング制御を実行する動作であり、
前記第２の動作は、前記読み出し準備動作および前記読み出し動作のうちの一方を実行している状態において、フォーカシング制御およびトラッキング制御を実行する動作である、請求項１に記載の光ディスク装置。
【請求項８】
前記第１の周期および前記第２の周期のそれぞれの値は、フォーカシング制御およびトラッキング制御を維持できる値以下である、請求項１に記載の光ディスク装置。
【請求項９】
前記第１の周期および前記第２の周期のそれぞれは、２５０μｓ〜５００μｓである、請求項８に記載の光ディスク装置。
【請求項１０】
前記レーザ制御部は、前記第１の周期および前記第２の周期のそれぞれの前記レーザ発光部が発光しない区間中は、前記レーザ発光部に駆動電流を実質的に印加しない、請求項１に記載の光ディスク装置。
【請求項１１】
前記レーザ制御部は、前記第１の周期および前記第２の周期のそれぞれの前記レーザ発光部が発光しない区間中は、前記レーザ発光部が発光しない値の駆動電流を前記レーザ発光部に印加する、請求項１に記載の光ディスク装置。
【請求項１２】
前記光ディスクからの反射光によって発生するノイズを低減する高周波モジュールをさらに備え、
前記レーザ発光部が発光しない区間中は、前記高周波モジュールは動作を停止する、請求項１に記載の光ディスク装置。
【請求項１３】
前記光ディスクからの反射光によって発生するノイズを低減する高周波モジュールをさらに備え、
前記光ディスクから情報を読み出す準備をするための読み出し準備動作および前記光ディスクに情報を記録する準備をするための記録準備動作のうちの少なくとも一方の間は、前記高周波モジュールは動作を停止する、請求項１に記載の光ディスク装置。
【請求項１４】
再生信号からアドレス情報を読み出すアドレス再生部と、
再生信号を復調する再生信号処理部と、
前記光ディスクへの情報の記録を制御する記録制御部と
をさらに備え、
前記アドレス再生部、前記再生信号処理部および前記記録制御部のそれぞれはアイドリング時には動作を停止する、請求項１に記載の光ディスク装置。
【請求項１５】
前記光ディスクからの反射光に基づいて再生信号を生成する光検出部と、
前記再生信号をサンプル・ホールドすることによりフォーカシングエラー信号およびトラッキングエラー信号を生成する信号生成部と
をさらに備える、請求項１に記載の光ディスク装置。
【請求項１６】
前記レーザ制御部と前記信号生成部とは１個の半導体チップ内に集積化されている、請求項１５に記載の光ディスク装置。
【請求項１７】
前記レーザ発光部を備える光ヘッド部と、
トラッキング制御を行うトラッキング制御部と
をさらに備え、
前記トラッキング制御部は、アイドリング時には、前記レーザ光の焦点が同一トラックに沿うように光ヘッド部を制御する、請求項１に記載の光ディスク装置。
【請求項１８】
前記レーザ発光部を備える光ヘッド部と、
トラッキング制御を行うトラッキング制御部と
をさらに備え、
アイドリング時には、前記トラッキング制御部は動作を停止する、請求項１に記載の光ディスク装置。
【請求項１９】
前記第１の動作は、前記光ディスクからアドレス情報を読み出す準備をするための読み出し準備動作であり、
前記第２の動作は、前記光ディスクから前記アドレス情報を読み出すための読み出し動作である、請求項１に記載の光ディスク装置。
【請求項２０】
前記アドレス情報は、前記光ディスクが備える案内溝をウオブルさせることにより前記光ディスクに予め記録されており、
前記第２の周期は案内溝のウオブル周期よりも短い、請求項１９に記載の光ディスク装置。
【請求項２１】
前記レーザ制御部は、シーク動作時には、前記レーザ発光部を連続発光させる、請求項１に記載の光ディスク装置。
【請求項２２】
前記レーザ制御部は、フォーカシング制御の実行時の前記レーザ発光部の発光周期を、前記フォーカシング制御の非実行時の前記レーザ発光部の発光周期よりも短くする、請求項１に記載の光ディスク装置。
【請求項２３】
前記光ディスク装置の振動量の検出および予測のうちの少なくとも一方を行う振動検出部をさらに備え、
前記レーザ制御部は、前記振動量が所定量以上である場合の前記レーザ発光部の発光周期を、前記振動量が所定量未満である場合の前記レーザ発光部の発光周期よりも短くする、請求項１に記載の光ディスク装置。
【請求項２４】
前記光ディスク装置の振動量の検出および予測のうちの少なくとも一方を行う振動検出部をさらに備え、
前記レーザ制御部は、前記振動量が所定量以上である場合は、レーザ発光部を連続発光させる、請求項１に記載の光ディスク装置。
【請求項２５】
前記レーザ発光部の温度を検出する温度検出部を更に備え、
前記レーザ制御部は、前記レーザ発光部の温度が前記レーザ発光部の動作保証温度より所定値以上低い場合の前記レーザ発光部の発光周期を、前記レーザ発光部の温度が前記動作保証温度より所定値以上低くない場合のレーザ発光部の発光周期よりも短くする、請求項１に記載の光ディスク装置。
【請求項２６】
前記レーザ制御部は、前記光ディスクからの情報の読み出しの実行を待機している間の前記レーザ発光部の発光周期を、前記読み出しを実行している間の前記レーザ発光部の発光周期よりも長くする、請求項１に記載の光ディスク装置。
【請求項２７】
前記レーザ制御部は、前記光ディスクへの情報の記録の実行を待機している間の前記レーザ発光部の発光周期を、前記記録を実行している間の前記レーザ発光部の発光周期よりも長くする、請求項１に記載の光ディスク装置。
【請求項２８】
入射光から映像を示す映像情報を生成するカメラ部と、
前記映像情報が示す映像を表示する表示部と、
光ディスクへの前記映像情報の記録および前記光ディスクに記録された映像情報の再生を実行する光ディスク駆動部と
を備え、
前記光ディスク駆動部は、
前記光ディスクに照射するためのレーザ光を生成するレーザ発光部と、
前記レーザ発光部の発光動作を制御するレーザ制御部と
を備え、
前記レーザ制御部は、第１の動作時には第１の周期で前記レーザ発光部を発光させ、第２の動作時には第２の周期で前記レーザ発光部を発光させ、
前記第１の周期と前記第２の周期とは互いに異なる周期である、カメラ装置。
【請求項２９】
光ディスクに照射するためのレーザ光を生成するレーザ発光部の発光動作を制御する方法であって、
第１の動作時には第１の周期で前記レーザ発光部を発光させるステップと、
第２の動作時には第２の周期で前記レーザ発光部を発光させるステップと
を包含し、
前記第１の周期と前記第２の周期とは互いに異なる周期である、方法。
【発明の詳細な説明】
【技術分野】
【０００１】
本発明は、光ディスク装置、カメラ装置、発光動作を制御する方法に関する。より具体的には、光ヘッド部に搭載されるレーザ発光部の消費電力および温度上昇を抑える光ディスク装置、カメラ装置、発光動作を制御する方法に関する。
【背景技術】
【０００２】
近年、青色レーザおよび０．８５と高ＮＡの対物レンズを用いた相変化書換え型の光ディスクの高密度化技術開発が進み、直径が５〜８ｃｍ程度の小径であっても、４〜１６ＧＢ（最大容量は２層化技術を使った場合）と大容量の光ディスクが実現できつつある。ＭＰＥＧ２などの画像圧縮技術を使うと、この容量の光ディスクには、従来のテープと同等の画質で同じ時間撮影できるので、本格的な光ディスク・ビデオカメラが実現できる。さらに、転送レートの向上によって、より高精細なＨＤ画質の映像も記録できる。
【０００３】
また、光ディスクを使うと、ランダムアクセスの利点を活かし、巻き戻しが不要でイライラせずに済む、あるいはサムネイル映像の選択で見たいところが一発で再生できる等、ユーザにとって便利で快適なビデオカメラを提供することができる。また、ＪＰＥＧ圧縮した静止画を同一の光ディスクに納めることができるなど、次世代のビデオカメラとして、新しいコンセプトをユーザに提供できるので商品化への期待が高い。
【０００４】
一般に、光ディスク装置で使うレーザ発光部は、他のＩＣや電子部品に比べて容積当りの発熱量が大きい。一方で、動作保証の上限温度は６０℃〜７０℃と低く、また上限温度以下でも使用温度が高いほど寿命が短くなる問題点がある。したがって光ディスク装置では、装置全体の消費電力低減や放熱構造の改善によって庫内温度上昇を抑え、光ヘッドに搭載するレーザ発光部の動作温度を低減することが強く求められてきた。本発明は前者の消費電力低減に関わるものであり、なかでもレーザ発光部そのものの電力消費を抑えることに関する。レーザ発光部の消費電力を抑えれば、雰囲気温度（庫内温度）が同一の場合でも、レーザ発光部の温度上昇を低減できるので、非常に効果的である。
【０００５】
レーザ発光部消費電力低減の従来例としては、音楽用のＭＤの間欠再生がある（例えば特許文献１参照）。この例は、光ディスク装置を動かしたり止めたりして間欠的に再生動作させる方法である。これによると、休止期間にレーザ発光部を含めた電力をゼロにすることで、レーザ発光部を含め光ディスク駆動部の電力を平均的に低減ができる。これによって、電池寿命を延ばしている。
【０００６】
以下具体的に、上記間欠再生の動作を説明する。まず光ディスクからの音楽データの読出し速度は、音楽データのデコーダへの入力速度に対して、十分高速であることを前提としている。音楽を再生するときには、まず光ディスク駆動部を起動して、音楽データを高速に再生して一旦バッファメモリーに蓄積する（読出し状態）。バッファメモリーが一杯になったら、光ディスク駆動部を一旦停止してレーザ発光部ほか光ディスク駆動部の電力をほぼゼロとする（休止状態）。一方、バッファメモリーからは、音楽データを一定速度でデコーダに送り音楽を連続的に再生する。そして、バッファメモリーの音楽データの残量が所定レベルを切った場合には、光ディスク駆動部を再び起動させ、続きの音楽データを高速に読出してバッファメモリーに蓄える。以上の動作を音楽再生中に繰り返す。音楽再生中は、上記デコーダへは一定の速度で音楽データを送る。
【０００７】
以上の読出し状態では、起動ならびに読み出しのために光ディスク駆動部は電力消費を行うが、上記休止状態では電力消費がないため、読出し状態の時間（読出し時間）と休止状態の時間（休止時間）の比に応じて、平均的な消費電力を減らすことができる。また、読出し時にはレーザ発光部は連続点灯するが、レーザ発光部の温度が大きく上昇する前に休止状態にするので、休止状態のレーザ発光部の冷却によって、レーザ発光部の平均的な温度上昇を低減することができる。
【０００８】
ただし、休止状態から読出し状態に至る起動時には、モータ回転、レーザ点灯、フォーカスやトラッキング引き込みなどの立上げ動作が必要となり、数秒程度の時間がかかる。また起動時には、モータの回転制御等により、読出し状態より若干電力が増えことがある。したがってＭＤのような音楽データの再生では、再生時間に対して休止時間が十分に長く取れるので、電力低減とともにレーザ発光部の温度上昇防止に非常に手段である。なお、この間欠再生技術は録音つまり光ディスクへの書込み時にも使うことができる。
【０００９】
一方、光ディスクを駆動させている再生中のレーザ発光部の消費電力を低減する手段も考案されている。例えば、再生中のデータ周期に同期してレーザ発光部をパルス駆動して低減する手段（特許文献２参照）や、データ周期より十分早い周波数でレーザ発光部をパルス駆動する手段（特許文献３参照）が開示されている。前者はデータのチャネルビット周期で、レーザを断続発光させ、発光時にデータエッジを検出し、非発光区間はエッジ検出しないようにして、情報再生にほとんど影響がないようにしつつ、レーザ発光部の消費電力を減らしている。また後者は、データの周期より十分に早い速度でレーザを点滅させて、データ包絡線検波によって再生することで、点滅の影響を除去し、レーザ発光部の平均電流を抑えて消費電力を低減している。
【特許文献１】特開平７−１６１０４３号公報
【特許文献２】特開２００２−６３７２６号公報
【特許文献３】特開２００１−３３１９６０号公報
【発明の開示】
【発明が解決しようとする課題】
【００１０】
しかしながら、光ディスク装置をビデオ画像など高速なデータ処理速度が必要なシステムに使おうとすると、上記した間欠再生技術（以降は停止型間欠動作と呼ぶ）の効果は小さい。それは、画像データ処理速度と光ディスクへの画像データ録再速度との間の比は、音声データと画像データとの間の転送レートの比ほどには大きく上げられないためである。その結果、一定周期下で光ディスクからの読出し時間を長く、休止時間を短くする必要があり、停止型間欠動作の電力低減、温度上昇抑圧の効果が落ちる。
【００１１】
さらに、データ処理速度が大きくなり光ディスクからのデータ録再速度に近づくと、停止してから再起動までの時間を考慮すると、休止動作そのものが実行不可能になり、停止型間欠動作が困難となる。
【００１２】
具体的な例で考える。小径の光ディスクで回転数が制限されるため、最高転送レートが例えば２０Ｍｂｐｓと制限されたと想定する。画像の転送レートは、例えばＭＰＥＧ２でＤＶテープ並みの画質の音声混載ストリームを実現しようとすると、９Ｍｂｐｓ程度のレートが必要である。ストリームがいわゆる一定速度のレートであれば、このレベルでも間欠動作はできる。しかし、数秒程度の起動時間が再生時間に含まれるので、数十秒周期の間欠動作は実現できるが、休止時間を半分以上にすることは難しい。また、起動時のリトライなどでの余裕をみると、休止時間に当てられる時間はより短くせざるを得ない。したがって、この応用では十分な間欠効果は期待できない。さらに、画質向上のためストリームをいわゆる可変ビットレートにすると、画像の転送レートは平均９Ｍｂｐｓでも、最大は例えば１５Ｍｂｐｓとなる。数十秒以上１５Ｍｂｐｓが続くことを前提とすると、上記起動時間への余裕確保などを考えると、停止型間欠動作そのものが困難になる。つまり、ビデオカメラのような用途では、新たな低電力化（および温度上昇防止）対策が求められる。
【００１３】
この観点では、前述した特許文献２および３に示した方法は、低電力化には有効である。再生時のレーザ発光部の点滅デューティは、５０％程度を要求されるので、そのレベルの電力低下は期待できる。しかし、特許文献２の例のように、データチャネル周期での点滅手段は、青レーザを使った超高密度のデータの再生では、消灯時に失われる情報が多くなり再生信号の品質劣化により実用的でないと考えられる。例えば、ジッタが大きいときには、データロスが発生すると予測される。
【００１４】
また、特許文献３に示す方法では、データ周波数よりも十分に高い周波数のクロック信号を用いてレーザ発光部を駆動することにより、レーザ発光部の電力を半減させている。データ周波数より高周波で動作する発光システムでは、レーザ発光部の戻り光により発生するノイズを低減するための電流重畳を行う高周波モジュール（ＨＦＭ）が用いられる例がある。しかし、ＨＦＭの動作並みに高速でしかもＨＦＭでの電流振幅よりも大きい電流振幅でレーザ発光部を駆動しようとすると、その駆動手段の発熱が懸念される。また、高周波でレーザ発光部を駆動するので不要輻射問題を回避するために、駆動手段はレーザ発光部に近接して配置することが求められる。そうすると駆動手段からの発熱によりレーザ発光部の温度上昇を招いてしまい、温度上昇防止効果が得られにくいと予測される。
【００１５】
本発明は、上記の課題を鑑みて、レーザ発光部の温度上昇および消費電力を抑える光ディスク装置、カメラ装置、発光動作を制御する方法を提供することを目的とする。
【課題を解決するための手段】
【００１６】
本発明の光ディスク装置は、光ディスクに照射するためのレーザ光を生成するレーザ発光部と、上記レーザ発光部の発光動作を制御するレーザ制御部とを備え、上記レーザ制御部は、第１の動作時には第１の周期で上記レーザ発光部を発光させ、第２の動作時には第２の周期で上記レーザ発光部を発光させ、上記第１の周期と上記第２の周期とは互いに異なる周期であり、そのことにより上記目的が達成される。
【００１７】
上記第１の周期および上記第２の周期のうちの少なくとも一方の上記レーザ発光部が発光する区間の長さと上記レーザ発光部が発光しない区間の長さとは互いに異なってもよい。
【００１８】
上記レーザ発光部が発光する区間の長さは、上記レーザ発光部が発光しない区間の長さよりも短くてもよい。
【００１９】
上記第１の動作は、上記光ディスクから情報を読み出す準備をするための読み出し準備動作であり、上記第２の動作は、上記光ディスクから上記情報を読み出すための読み出し動作であってもよい。
【００２０】
上記第１の動作は、上記光ディスクから情報を読み出す準備をするための第１の読み出し準備動作であり、上記第２の動作は、上記光ディスクから上記情報を読み出す準備をするための第２の読み出し準備動作であってもよい。
【００２１】
上記第１の動作は、上記光ディスクに情報を記録する準備をするための第１の記録準備動作であり、上記第２の動作は、上記光ディスクに上記情報を記録する準備をするための第２の記録準備動作であってもよい。
【００２２】
上記第１の動作は、上記光ディスクから情報を読み出す準備をするための読み出し準備動作と上記光ディスクから上記情報を読み出すための読み出し動作との両方を実行しない状態において、フォーカシング制御およびトラッキング制御を実行する動作であり、上記第２の動作は、上記読み出し準備動作および上記読み出し動作のうちの一方を実行している状態において、フォーカシング制御およびトラッキング制御を実行する動作であってもよい。
【００２３】
上記第１の周期および上記第２の周期のそれぞれの値は、フォーカシング制御およびトラッキング制御を維持できる値以下であってもよい。
【００２４】
上記第１の周期および上記第２の周期のそれぞれは、２５０μｓ〜５００μｓであってもよい。
【００２５】
上記レーザ制御部は、上記第１の周期および上記第２の周期のそれぞれの上記レーザ発光部が発光しない区間中は、上記レーザ発光部に駆動電流を実質的に印加しなくてもよい。
【００２６】
上記レーザ制御部は、上記第１の周期および上記第２の周期のそれぞれの上記レーザ発光部が発光しない区間中は、上記レーザ発光部が発光しない値の駆動電流を上記レーザ発光部に印加してもよい。
【００２７】
上記光ディスクからの反射光によって発生するノイズを低減する高周波モジュールをさらに備え、上記レーザ発光部が発光しない区間中は、上記高周波モジュールは動作を停止してもよい。
【００２８】
上記光ディスクからの反射光によって発生するノイズを低減する高周波モジュールをさらに備え、上記光ディスクから情報を読み出す準備をするための読み出し準備動作および上記光ディスクに情報を記録する準備をするための記録準備動作のうちの少なくとも一方の間は、上記高周波モジュールは動作を停止してもよい。
【００２９】
再生信号からアドレス情報を読み出すアドレス再生部と、再生信号を復調する再生信号処理部と、上記光ディスクへの情報の記録を制御する記録制御部とをさらに備え、上記アドレス再生部、上記再生信号処理部および上記記録制御部のそれぞれはアイドリング時には動作を停止してもよい。
【００３０】
上記光ディスクからの反射光に基づいて再生信号を生成する光検出部と、上記再生信号をサンプル・ホールドすることによりフォーカシングエラー信号およびトラッキングエラー信号を生成する信号生成部とをさらに備えてもよい。
【００３１】
上記レーザ制御部と上記信号生成部とは１個の半導体チップ内に集積化されていてもよい。
【００３２】
上記レーザ発光部を備える光ヘッド部と、トラッキング制御を行うトラッキング制御部とをさらに備え、上記トラッキング制御部は、アイドリング時には、上記レーザ光の焦点が同一トラックに沿うように光ヘッド部を制御してもよい。
【００３３】
上記レーザ発光部を備える光ヘッド部と、トラッキング制御を行うトラッキング制御部とをさらに備え、アイドリング時には、上記トラッキング制御部は動作を停止してもよい。
【００３４】
上記第１の動作は、上記光ディスクからアドレス情報を読み出す準備をするための読み出し準備動作であり、上記第２の動作は、上記光ディスクから上記アドレス情報を読み出すための読み出し動作であってもよい。
【００３５】
上記アドレス情報は、上記光ディスクが備える案内溝をウオブルさせることにより上記光ディスクに予め記録されており、上記第２の周期は案内溝のウオブル周期よりも短くてもよい。
【００３６】
上記レーザ制御部は、シーク動作時には、上記レーザ発光部を連続発光させてもよい。
【００３７】
上記レーザ制御部は、フォーカシング制御の実行時の上記レーザ発光部の発光周期を、上記フォーカシング制御の非実行時の上記レーザ発光部の発光周期よりも短くしてもよい。
【００３８】
上記光ディスク装置の振動量の検出および予測のうちの少なくとも一方を行う振動検出部をさらに備え、上記レーザ制御部は、上記振動量が所定量以上である場合の上記レーザ発光部の発光周期を、上記振動量が所定量未満である場合の上記レーザ発光部の発光周期よりも短くしてもよい。
【００３９】
上記光ディスク装置の振動量の検出および予測のうちの少なくとも一方を行う振動検出部をさらに備え、上記レーザ制御部は、上記振動量が所定量以上である場合は、レーザ発光部を連続発光させてもよい。
【００４０】
上記レーザ発光部の温度を検出する温度検出部を更に備え、上記レーザ制御部は、上記レーザ発光部の温度が上記レーザ発光部の動作保証温度より所定値以上低い場合の上記レーザ発光部の発光周期を、上記レーザ発光部の温度が上記動作保証温度より所定値以上低くない場合のレーザ発光部の発光周期よりも短くしてもよい。
【００４１】
上記レーザ制御部は、上記光ディスクからの情報の読み出しの実行を待機している間の上記レーザ発光部の発光周期を、上記読み出しを実行している間の上記レーザ発光部の発光周期よりも長くしてもよい。
【００４２】
上記レーザ制御部は、上記光ディスクへの情報の記録の実行を待機している間の上記レーザ発光部の発光周期を、上記記録を実行している間の上記レーザ発光部の発光周期よりも長くしてもよい。
【００４３】
本発明のカメラ装置は、入射光から映像を示す映像情報を生成するカメラ部と、上記映像情報が示す映像を表示する表示部と、光ディスクへの上記映像情報の記録および上記光ディスクに記録された映像情報の再生を実行する光ディスク駆動部とを備え、上記光ディスク駆動部は、上記光ディスクに照射するためのレーザ光を生成するレーザ発光部と、上記レーザ発光部の発光動作を制御するレーザ制御部とを備え、上記レーザ制御部は、第１の動作時には第１の周期で上記レーザ発光部を発光させ、第２の動作時には第２の周期で上記レーザ発光部を発光させ、上記第１の周期と上記第２の周期とは互いに異なる周期であり、そのことにより上記目的が達成される。
【００４４】
本発明の方法は、光ディスクに照射するためのレーザ光を生成するレーザ発光部の発光動作を制御する方法であって、第１の動作時には第１の周期で上記レーザ発光部を発光させるステップと、第２の動作時には第２の周期で上記レーザ発光部を発光させるステップとを包含し、上記第１の周期と上記第２の周期とは互いに異なる周期であり、そのことにより上記目的が達成される。
【発明の効果】
【００４５】
本発明によれば、第１の動作時には第１の周期でレーザ発光部を発光させ、第２の動作時には第２の周期でレーザ発光部を発光させる。また、第１の周期と第２の周期とは互いに異なる周期である。各動作に応じてレーザ発光部の発光周期を調整することにより、各動作を確実に実行するとともに、レーザ発光部の温度上昇および消費電力を抑えることができる。また、レーザ発光部の温度上昇を抑えることができ、且つレーザ発光部の駆動時間を短くすることができるので、レーザ発光部の寿命を延ばすことができる。
【００４６】
本発明によれば、光ディスク装置の記録または再生の準備動作時にレーザ発光部を間欠パルス駆動することによって、レーザ発光部の消費電力を略ゼロ（連続発光時の１％以下）と劇的に低減できる。そのため、特に情報を断続的に記録または再生する光ディスク装置にあっては、実質的に記録または再生時にのみレーザ発光部を使っていることになり、レーザ発光部の温度上昇をきわめて小さくできる。その結果、本発明の光ディスク装置もしくはそれを内蔵する装置は、本発明を適用しない装置が使用できないような高温雰囲気下でも使用できる。またこの特徴を別角度でみると、光ディスク装置の周囲温度が同一の場合には、本発明を適用した光ディスク装置はレーザ発光部の温度上昇を低くできるので、レーザ発光部の動作寿命を伸ばすことができる。
【００４７】
さらに本発明は、レーザ発光部の使用時間の面からも、レーザ発光部の寿命は延ばすことができる。一般に光ディスク装置は、記録または再生の準備動作の期間を、記録または再生の前後に必要とする。この準備動作のときに間欠アイドリングを行うことで、オフ区間中はレーザ発光部の駆動を停止してレーザ発光部を非動作状態にできる。これにより、準備動作中のレーザ発光部の累積動作時間を実質的に無視できるほど小さくできるので、ユーザから見たレーザ発光部の寿命は大きく延びる。言い替えると、光ディスク装置の寿命は、ほぼ記録および再生動作の累積時間で決まり、記録および再生の準備動作時の時間は実質的に光ディスク装置の寿命に影響を与えない。さらに、本発明によると、低電力消費で光ディスク装置を記録または再生の準備状態に維持でき、且つすぐに記録または再生状態に入れるので、光ディスクからの映像情報の再生などのユーザ要求に対してクイックレスポンスが可能である。
【００４８】
さらに、本発明によると、レーザ発光部ならびに他の回路の電力が抑えられるので、低消費電力の光ディスク装置が提供できる。特にポータブルで電池駆動型の装置では、電池寿命が延ばせる、あるいは、より小型の電池でも同じ時間駆動ができる長所を提供することができる。また、低消費電力化によって温度上昇が抑えられるので、より小型の光ディスク装置が提供できる。
【００４９】
本発明は、レーザ発光部の動作信頼性の確保と長寿命化とを実現しつつ、光ディスク装置ならびにその搭載機器の低電力化ならびに高温時の動作保証をも実現する。
【発明を実施するための最良の形態】
【００５０】
以下、本発明の実施の形態について図面を参照しながら説明する。
【００５１】
（実施の形態１）
図１は、本発明の実施の形態１における光ディスク装置１００を示す。また図２、図３および図４は、光ディスク装置１００の動作を説明するタイミング図である。
【００５２】
本発明の理解を容易にするために、図１においては本発明に関わる主要部のみを図示し、それ以外の光ディスク装置の公知の構成要素の図示と説明は省略している。
【００５３】
光ディスク１０１は、光ディスク装置１００に搭載される。光ディスク装置１００は、光ディスク１０１に対して情報の記録および再生の少なくとも一方を行う、記録装置、再生装置または記録再生装置であり得る。ユーザーデータ等の情報は光ディスク１０１が備える案内溝上に記録される。アドレス情報は、光ディスク１０１が備える案内溝をウオブルさせることにより光ディスク１０１に予め記録されている。
【００５４】
光ディスク装置１００は、ディスクモータ１０２と、光ヘッド部１０３と、レーザ制御部１０４と、記録制御部１０５と、ＡＴＡＰＩインタフェース１０６と、インタフェース部１０７と、バッファメモリー１０８と、システムコントローラ１０９と、モータ制御部１１０と、ＯＲ回路部１１１と、信号生成部１１２と、アドレス再生部１１３と、再生信号処理部１１４と、フォーカシング制御部１１５と、トラッキング制御部１１６とを備える。
【００５５】
光ヘッド部１０３は、レーザ発光部１と、パワー検出部２と、光検出部３と、光学部品（図示せず）と、アクチュエータ（図示せず）等を備える。光ディスク１０１に照射するためのレーザ光を生成するレーザ発光部１は例えば半導体レーザ素子である。光ヘッド部１０３は、光ディスク１０１にレーザ光を照射することにより情報の読み出しおよび書き込みを行う。
【００５６】
光ディスク１０１はディスクモータ１０２で回転され、光ヘッド部１０３によって情報が記録再生される。パワー検出部２はレーザ発光部１のパワーを計測する。光検出部３は、光ディスク１０１からの反射光に基づいて、高周波信号（ＲＦ信号）、フォーカス誤差信号（ＦＥ信号）およびトラッキング誤差信号（ＴＥ信号）を検出するための再生信号を生成する。アクチュエータは、光スポットが光ディスク１０１の案内溝上に形成されるようにフォーカシング制御およびトラッキング制御を行う。
【００５７】
レーザ制御部１０４はレーザ発光部１の発光動作を制御する。レーザ発光部１のパワーは、レーザ制御部１０４によって制御される。より具体的には、パワー検出部２からのＰＯ信号を受けて、フィードバック制御によってＬＤ信号を介してレーザ発光部１を所定パワーとする。記録動作時以外のとき（例えば再生モードのとき）には、ＰＬ信号がハイレベル（以下ハイと呼ぶ）のときにレーザ発光部１が点灯し、ロウレベル（以下ロウと呼ぶ）のときに消灯するようにレーザ制御部１０４は動作する。パワー値は、目標レベル設定となるようＰＬ信号がハイのときの上記ＰＯ信号の値をフィードバックして制御する。記録モード時には、記録制御部１０５から出力されるＷＴ信号群が示す多値の記録パワーのレベル（いわゆるライトストラテジーと呼ぶ）を有するマルチパルスで、レーザ発光部１を発光させることによって、光ディスク１０１に最適なパワーパターンでレーザー光を照射する。
【００５８】
情報記録時に、記録情報はＡＴＡＰＩインタフェース１０６を介して、外部のＰＣやアプリケーション（不図示）から、インタフェース部１０７に送られ、一旦バッファメモリー１０８に蓄積された後に、エラー訂正符号の付加や変調され所定のフォーマットのデータに記録制御部１０５で加工されて、光ディスク１０１上に記録される。これらの動作は、光ディスク装置１００全体の動作制御を司るシステムコントローラ１０９で制御される。システムコントローラ１０９は、マイコンおよびハードデバイス等を備える。
【００５９】
情報記録を実施するためには、レーザ制御部１０４は記録準備のための制御を行う。すなわち、モータ制御部１１０でディスクモータ１０２を所定の回転数で回転させる。そして、レーザ発光部１のパワーを再生レベルとなるように制御する。このとき、再生パワーをＯＲ回路部１１１の出力であるＰＬ信号に応じて間欠的にオン、オフさせることにより、必要最小限のレーザ発光部１の点灯で、記録または再生の準備動作（フォーカシング制御、トラッキング制御、アドレス情報読み出し、シーク制御ならびにアイドリング制御等）を実現する。これが本発明のポイントである。これによって、レーザ発光部１の消費電力、温度上昇と累積点灯時間を抑え、信頼性向上と装置の長寿命化を実現する。前述したように、レーザ発光部１をパルス駆動させつつ、記録再生準備をさせることを「間欠アイドリング」とも呼び説明に使う。発光周期のオフ区間はオン区間に対して十分長い。これにより、半導体レーザの消費電力、温度上昇と累積点灯時間をより低減できる。発光周期は、光ディスク装置１００の動作モードにより変化するが、フォーカシング制御およびトラッキング制御を維持できる値以下であることが好ましい。
【００６０】
信号生成部１１２は、光検出部３から出力された再生信号を入力して、再生信号をサンプル・ホールドすることによりＲＦ信号、ＦＥ信号およびＴＥ信号を生成する。ＲＦ信号は、アドレス再生部１１３と再生信号処理部１１４に入力される。またＦＥ信号およびＴＥ信号は、それぞれサーボ制御を担うフォーカシング制御部１１５およびトラッキング制御部１１６に入力される。システムコントローラ１０９からは、再生時の動作状態に応じて、レーザ発光部１を点灯させるためのＰＡ信号、ＰＦ信号およびＰＴ信号のそれぞれのパルス信号がＯＲ回路部１１１に送られる。同時にＰＡ信号、ＰＦ信号およびＰＴ信号は、それぞれアドレス再生部１１３、フォーカシング制御部１１５およびトラッキング制御部１１６に送られる。アドレス再生部１１３、フォーカシング制御部１１５およびトラッキング制御部１１６はパルス信号がハイのタイミングで、それぞれアドレス再生、フォーカシング制御およびトラッキング制御を実施する。
【００６１】
上記３種のパルス信号の詳細なパルスタイミングについては後述するが、例えば、情報再生時にはＰＬ信号がハイのままとなるように制御され、連続したＲＦ信号からアドレス再生部１１３でアドレスが再生されつつ、同時に連続したＲＦ信号は再生信号処理部１１４に入力される。再生信号処理部１１４は、ＲＦ信号に対して、データフォーマットに応じた復調およびエラー訂正を行って再生情報を復元して読み出す。読み出された再生情報は、バッファメモリー１０８に一旦蓄えられた後、インタフェース部１０７からＡＴＡＰＩインタフェース１０６を介して、外部のＰＣやアプリケーションの要求に応じて送り出される。
【００６２】
本実施の形態１において、レーザ発光部１をパルス駆動する間欠アイドリングの典型的な例はスチルオン（ＳＴＯＮ）と呼ぶアイドリング動作である。スチルオン（ＳＴＯＮ）と呼ぶアイドリング動作では、光ディスク１０１の回転を維持し、フォーカシング制御部１１５およびトラッキング制御部１１６によって光ヘッド部１０３のフォーカシング制御とトラッキング制御を行いながら、レーザ光の焦点を同一トラックに沿わせる。図１に示すＰＦ信号とＰＴ信号の波形のうち、前半のパルス３個はこのスチルオン状態を示し、後半のハイ区間は情報再生区間を示す。予め次に記録または再生すべきトラックが分かっている場合には、光ディスク装置１００をスチルオン状態にしておけば、シーク動作を行うことなく短時間で記録または再生動作に移行することができる。
【００６３】
なお、図１で示した各ブロック（レーザ制御部１０４、信号生成部等）は、適切なブロック分けで複数の半導体チップ（例えばＬＳＩ）に集積化されるか、または、全てのブロックを１つの半導体チップ（例えばＬＳＩ）に集積化されるかして、光ディスク装置１００を小型化するのが望ましい。
【００６４】
図２は、典型的な間欠アイドリング時の、レーザ発光部制御の基本タイミングを示す。上から順にＰＬ信号、Ｓ／Ｈ（サンプル・ホールド）信号、レーザ発光部１の駆動電流およびレーザ発光部１の発光パワーを示す。アイドリング時のＰＬ信号は、周期Ｔ（間欠アイドリングの基本周期）のパルス信号であり、ハイ区間は時刻ｔ１からｔ４とする。レーザ制御部１０４は、ＰＬ信号を受けて、所定のスルーレートでレーザ発光部１に駆動電流を流し、時刻ｔ３からｔ４までの間は、駆動電流を所望の電流値に一定に保つ。ＰＬ信号がロウになる時刻ｔ４からは、駆動電流値を所定のスルーレートで落とし、時刻ｔ６で０とする。レーザ発光部１は、駆動電流がしきい値電流を超える時刻ｔ２からｔ５の間、発光してレーザ光が出射される。時刻ｔ３からｔ４までの間は、レーザ発光部１は所望の一定パワーのレーザ光を出力する。Ｓ／Ｈ信号は、レーザ発光部１が所望の一定パワーで発光している時間を特定する信号で、レーザ制御部１０４内部にてパワー制御用に使う信号である。Ｓ／Ｈ信号がハイのときがサンプル区間、ロウのときがホールド区間である。
【００６５】
アイドリング時には、再生信号は発光区間毎にサンプリングされてＦＥ信号とＴＥ信号が生成される。このとき、アイドリング時のＰＬ信号の周波数は、フォーカシング制御とトラッキング制御とが維持できるサンプリング周波数となる。フォーカシング制御とトラッキング制御とを維持するだけなら、サーボ帯域（サーボ動作の周波数帯域）は、記録再生時のサーボ帯域よりも低い範囲（例えば１ｋＨｚ〜２ｋＨｚ程度）にできる。ＦＥ信号とＴＥ信号とがＰＬ信号のハイのタイミングでサンプリングされるとすれば、そのサンプリング周波数は、サーボ帯域の少なくとも２倍の２ｋＨｚ〜４ＫＨｚと低くできる。このときの発光周期は２５０μｓ〜５００μｓである。ＦＥ信号およびＴＥ信号もＳ／Ｈ信号に基いてサンプル／ホールドすることで得られる。
【００６６】
ＰＬ信号のハイ区間は、レーザ発光部１の発光区間（時刻ｔ３からｔ４まで）が１μｓ以下となるように短くする。この程度の短時間でも十分にＦＥ信号やＴＥ信号、またパワー検出部２が生成するパワー検出信号をサンプリングできる。発光区間に関しては、レーザ制御部１０４の構成や、信号生成部１１２の増幅器の動作速度改善により、もっと小さくできると考えられる。駆動電流のスルーレートを高速にすれば、ＰＬのハイ区間と、レーザ発光部１の発光区間とをほぼ同じにできる。
【００６７】
間欠アイドリングでは、以上のようなＰＬ信号が示す基本タイミングで光ディスク装置１００を制御する。制御に関する信号は、レーザ発光部１が所望のパワーで発光している時点で、サンプルして得ているので、このようなサンプリング動作は、一種のサンプルサーボ動作とも言える。しかし、通常のサンプルサーボ動作と大きく違うのは、レーザ発光部１を連続発光させずに、制御信号が必要なタイミングのときにだけレーザ発光部１を発光させる点である。
【００６８】
これによって、レーザ発光部１は、連続発光に比べＰＬ信号のデューティ比に相当する分だけしか電力を消費しない。この電力消費による温度上昇もデューティ比に比例する。上記の例では、ＰＬ信号の１周期は１００μｓ以上で、発光区間は１μｓであるので、温度上昇は平均して連続発光時の１％以下と非常に小さくできる。また、レーザ発光部１を駆動している時間も連続発光時の実質１％以下と小さくでき、累積通電時間で決まる素子寿命を大幅に伸ばせる。さらに、レーザ発光部１の使用温度を連続発光より低減できるので、温度低減による素子寿命延長効果がある。別の意味では、高温環境下でもレーザ発光部１の限界温度以下でレーザ発光部１を使える。間欠アイドリングは以上の効果を生みつつ、前述の停止型間欠動作のように記録再生までに時間を要することなく、連続発光時と同等の時間で記録再生動作に移行できるので、本発明は絶大な効果を実現していると言える。
【００６９】
なお、サンプリング周波数に関しては、要求されるサーボ帯域によっては高く設定する必要はある。ただしアイドリングを維持するだけなら、高くても数１０ｋＨｚで十分なので、上記効果は十分あると言える。また、発光区間の短縮などの手段を採れば、上記と同等の１％以下の電力消費、温度上昇に抑えることも可能である。例えば、発光区間を０．１μｓと短くすれば、サンプリング周波数を１００ｋＨｚと高くしても、デューティ比を１％と小さくできる。
【００７０】
しかしながら記録時および再生時にはやはり、通常と同じだけの駆動電流を半導体レーザに流すことが好ましい。連続して数１０分に渡る再生や記録が発生する用途では、間欠アイドリングを用いても温度上昇は十分に低減できない場合がある。しかし、光ディスクに対する情報の書き込みまたは読み出しの速度が、情報処理速度よりも速い場合には、書き込み動作または読み出し動作を数秒から数１０秒程度の周期で休止しながら実施できるので、間欠アイドリングによる温度上昇の抑圧効果は十分に得られる。
【００７１】
また、極めて低温下の動作で、レーザ発光部１の性能が確保されないような場合には、レーザ発光部１を暖めるために、レーザ制御部１０４は、間欠アイドリングのオフ区間の駆動電流を完全に０とはしないで、レーザ発光部が発光しない値の駆動電流をレーザ発光部に印加するようにしてもよい。また、レーザ発光部が所定温度に上昇するまでは、連続発光させてもよい。レーザ発光部１が適切な所定温度まで上昇すると、レーザ制御部１０４は、レーザ発光部１が発光しない区間中は、レーザ発光部１に駆動電流を実質的に印加しない。これによりレーザ発光部１を適切な温度にしつつ、レーザ発光部１の消費電力および不必要な温度上昇が抑えられる。
【００７２】
図３は、制御動作ごとのレーザ発光部１の発光タイミングを示す図である。情報記録時以外は、発光タイミングはＰＬ信号の波形と一致する。図３（ａ）は、前述したような最も単純なアイドリング時の基本タイミングを示す。垂直の実線は１パルスを示すが、タイミングは模式的に示しており、実際のパルス数と動作との関係は１：１には対応していない。
【００７３】
図３の例では、情報再生および情報記録時以外の各制御動作時には、基本タイミングに必要な点灯区間を重畳する。アイドリング時はフォーカシング制御とトラッキング制御のみを実施するため、ＰＦ信号とＰＴ信号はこの波形と同じとしている。なお、アイドリング時には、光ディスク装置１００全体の電力低減のため、記録制御部１０５、アドレス再生部１１３または再生信号処理部１１４などの、フォーカシング制御とトラッキング制御に必要のないブロックに対しては、給電を断つあるいはクロックを停止するなどによりスリープ状態とし、動作を停止させる。
【００７４】
つまり、フォーカシング制御およびトラッキング制御を維持するため以外の回路手段の消費電流を低減する。また、アイドリング時に限らずどの状態においても、関連ブロックは必要なときのみ動作状態として、それ以外はスリープ状態としてきめ細かく電力低減を行い、低電力化かつ温度上昇を防ぐようにしている。これにより、光ディスク装置１００全体の消費電力および温度上昇をより効果的に低減できる。
【００７５】
図３（ｂ）は、光ディスク起動時の発光タイミング図である。まず、フォーカシング制御前にレーザ発光部１を基本タイミングで点灯させる。区間Ｔ３ｂ１は、フォーカシング制御のタイミングであり、フォーカシング精度を向上するため、矢印で示すサンプリングパルスを追加している。ここで矢印で示すサンプリングパルスとは、基本タイミング以外のタイミングでサンプリング動作を行うためにレーザ発光部１を発光させるパルスである。サンプリングパルスはＰＬ信号に組み込まれる。フォーカシング制御の実行時は、フォーカシング制御を実行しない時よりも発光周期は短くなる。これによって、ＦＥ信号、ＴＥ信号、全光量信号などを高速に正確に得ることができる。区間Ｔ３ｂ２はトラッキング制御区間であり、フォーカシング制御同様に矢印で示すサンプリングパルスを追加している。このように、レーザ制御部１０４は、フォーカシング制御およびトラッキング制御の実行時のレーザ発光部１の発光周期を、フォーカシング制御およびトラッキング制御の非実行時のレーザ発光部１の発光周期よりも短くする。これにより、起動動作中にも間欠アイドリング動作を実現するとともに、フォーカシング制御およびトラッキング制御を誤らずに実行することができる。
【００７６】
図３（ｃ）は、ジャンピング時の発光タイミング図で、ジャンピングする区間Ｔ３ｃ１およびＴ３ｃ２において、矢印で示すサンプリングパスルを追加して、ＴＥ信号の検出精度と制御周波数帯域を高めて、安定したジャンピングを実現する。これまでの説明では単純アイドリング時には基本タイミングで動作するとしてきたが、実際のＳＴＯＮ動作のジャンピング動作時には、本タイミングと同様のサンプリングパルスを追加することで、アイドリング動作を安定化させることができる。
【００７７】
図３（ｄ）は、アイドリング中に振動を検出した時の発光タイミング図である。光ディスク装置１００の振動量の検出および予測のうちの少なくとも一方を行う振動検出部（例えば図７に示す振動・温度検出部）を光ディスク装置１００が備えることにより、振動の検出、もしくはＦＥ信号またはＴＥ信号残差による振動の検出が行われる。振動量が所定値以上となった場合には、区間Ｔ３ｄのように矢印で示すサンプリングパルスを追加して、フォーカシングおよびトラッキングの制御周波数を上げて、フォーカス飛びや、トラッキング飛びを防止する。さらに上記振動量が所定量より大きい場合には、オフ区間をなくして連続点灯して、ＦＥ信号およびＴＥ信号のサンプル区間を短くするとともに、フォーカシング制御およびトラッキング制御の制御周波数をさらに上げて、振動に対する制御性能を向上させる。例えば発光周期を基本タイミング周期の１／２、１／３、１／４・・・と振動量に応じて小さくする。このように、レーザ制御部１０４は、振動量が所定量以上である場合は、レーザ発光部の発光周期を、振動量が所定量未満である場合のレーザ発光部の発光周期よりも短くする、またはレーザ発光部を連続発光させる。これにより、間欠アイドリングを実施しつつ、振動環境下でも動作の信頼性の高い光ディスク装置が提供できる。
【００７８】
図３（ｅ）は、アイドリング時にディフェクトを検出したときの発光タイミング図である。アイドリング時は同一トラックにいるので、一回転の走査でＦＥ信号やＴＥ信号からディフェクトを検出することができる。次の回転からディフェクトを避けるように、フォーカシングならびにトラッキング制御をする。ここではディフェクト区間をＴ３ｅ２とし、そこではＦＥ信号、ＴＥ信号を検出する必要がないので、レーザ発光部１は消灯としている。一方、ディフェクト区間の前後のＴ３ｅ１とＴ３ｅ３については、矢印で示すサンプリングパルスを追加する。ディフェクト前は、サンプル点を増やし制御精度を上げる。ディフェクト区間はホールド状態とするが、フォーカスやトラッキングの絶対位置を記憶した専用メモリーを使って、ホールド時の位置ずれを補正する。ディフェクトを通過した後には、上記位置ずれを素早く安定に抑えるためにＴ３ｅ２で示す一定区間はサンプル点を増やす。
【００７９】
図３（ｆ）は、シーク時の発光タイミング図である。ここでは、シークは区間Ｔ３ｆ１からＴ３ｆ３に実施するものとする。シーク中はトラッキング制御を外し、光ヘッド部１０３を所定の速度プロフィールで移送するが、点灯区間を追加しているのは、シーク時のＴＥ信号から案内溝の本数を正確にカウントするためである。加速と減速に相当するそれぞれ区間Ｔ３ｆ１とＴ３ｆ３は移送速度が遅いので、移送速度に応じたパルス点灯でＴＥ信号の変化を検出する。移送速度が高速になるときは、レーザ制御部１０４は、区間Ｔ３ｆ２で示すようにレーザ発光部を連続発光させる。これにより高速なＴＥ信号の変化を正確に検出することができる。もちろん、ＴＥ信号の周期は長いので、移送速度が一定以下であれば、ＴＥ信号を生成可能な周期のパルス点灯だけでシーク動作は実現できる。シーク時のフォーカシング制御は原理的には基本タイミングで実現できるが、現実には溝横断信号などの影響があるので、増加したサンプル点でもＴＥ信号を取得し適切に処理することで、トラッキング制御精度を向上することができる。これにより、シーク動作中にも間欠アイドリング動作を実現するとともに、トラッキング制御を誤らずに実行することができる。
【００８０】
図３（ｇ）は、アドレス情報読み出し時の発光タイミング図である。前述したように、光ディスク１０１のアドレスは案内溝をウオブルさせることにより予め記録してある。光ディスク１０１からアドレス情報を読み出す準備をするための読み出し準備動作では、基本タイミングの発光周期でレーザ発光部１は発光する。光ディスク１０１からアドレス情報を読み出すための読み出し動作（Ｔ３ｇ区間）では、案内溝のウオブル状態を十分に検出するために、ウオブル周期より短い発光周期となるよう、基本タイミングに矢印で示すサンプルパルスを追加した発光周期でレーザ発光部１を発光させ、アドレス情報読み出しを行う。これにより、アドレス情報読み出し動作中にも間欠アイドリング動作を実現するとともに、アドレス情報読み出し動作を誤らずに実行することができる。なお、発光周期は、アドレス情報の形成方法によって決めるが、ウオブル周波数が１ＭＨｚ程度に高くなるような場合には、レーザ発光部１の安定度を考慮して連続点灯させてもよい。
【００８１】
図３（ｈ）は、ユーザデータ等の情報を再生する時の発光タイミング図である。光ディスク１０１から情報を読み出す準備をするための第１の読み出し準備動作（区間Ｔ３ｈ１）では、基本タイミングの発光周期でレーザ発光部１は発光する。光ディスク１０１から情報を読み出す準備をするための第２の読み出し準備動作（区間Ｔ３ｈ２）は、再生すべき情報が記録された領域を特定するためのアドレス情報読み出し動作であり、上記図３（ｇ）の動作と同じである。区間Ｔ３ｈ２の発光周期は基本タイミングの発光周期より短い。光ディスクから情報を読み出すための読み出し動作（区間Ｔ３ｈ３）では、レーザ発光部１は連続点灯させる。また、区間Ｔ３ｈ３では、光ディスク１０１からの反射光によって発生するノイズを低減する高周波モジュール（図５）も動作させる。フォーカシング制御およびトラッキング制御に関しては、アイドリング時、アドレスリード時さらには情報再生時に移行するに従って、制御周波数を上げて高精度化を図る。
【００８２】
図３（ｉ）は、ユーザデータ等の情報を記録する時の発光タイミングである。光ディスク１０１に情報を記録する準備をするための第１の記録準備動作（区間Ｔ３ｉ１）では、基本タイミングの発光周期でレーザ発光部１は発光する。光ディスク１０１に情報を記録する準備をするための第２の記録準備動作（区間Ｔ３ｉ２）では、情報を記録すべき領域を特定するためのアドレス情報読み出し動作であり、上記図３（ｇ）の動作と同じである。区間Ｔ３ｉ２の発光周期は基本タイミングの発光周期より短い。光ディスク１０１に情報を記録するための記録動作（区間Ｔ３ｉ３）では、記録制御部１０５によりレーザ制御部１０４が記録モードに切替えられる。記録モードでは、多値の記録パワーレベルを有するマルチパルスをもちいてレーザ発光部１を駆動することによって、光ディスク１０１に最適なパワーのレーザ光が照射される。記録時は一般に最も高精度の制御性能が求められるので、適切な信号処理により高速で高精度なＦＥ信号、ＴＥ信号およびＲＦ信号を検出し、サーボ制御ならびにアドレス情報読み出しを並行して実施する。情報記録時には、高周波モジュールは動作させない。なお、上述の読み出し準備動作および記録準備動作でも高周波モジュールは動作させなくてもよい。これにより、読み出し準備動作および記録準備動作中の高周波モジュールの電力消費と、高周波モジュールに近接するレーザ発光部１の温度上昇とを抑制できる。
【００８３】
なお、レーザ発光部１が発光しない区間中も、高周波モジュールは動作を停止させてもよい。これにより、レーザ発光部１が発光しない区間中の高周波モジュールの電力消費と、高周波モジュールに近接するレーザ発光部１の温度上昇とを抑制できる。
【００８４】
レーザ制御部１０４は、情報の再生または記録の実行を待機している間もトラッキング制御およびフォーカシング制御のために、レーザ発光部１を間欠発光させて維持する。このときの発光周期は、再生または記録を実行している間の発光周期よりも長くする。これより、情報の再生または記録の実行を待機している間も、光ディスク装置全体の消費電力と温度上昇とを有効に低減することができる。
【００８５】
なお、上記発光タイミングは、記録時を除きＰＬ信号タイミングと同一である。ＰＬ信号は前述のようにＰＡ信号、ＰＦ信号およびＰＴ信号のＯＲであり、基本的にはＰＡ信号はアドレス読みの時のみ発生し、ＰＦ信号およびＰＴ信号はサーボ制御状態やサーボ帯域に応じて出力される。ただし、これらの信号は、動作状態に応じてさまざまな組み合わせとして、光ディスク装置１００を最適に制御する。また、シーク時のＴＥ信号検出とトラッキング制御は必ずしも同一タイミングにする必要はないので、ＰＴ信号は信号群としてもよい。また、記録ハイ区間のアドレス再生部１１３、フォーカシング制御部１１５およびトラッキング制御部１１６は、ＰＡ信号、ＰＦ信号およびＰＴ信号とは異なる不図示の制御信号で動作モードが指定されるものとする。
【００８６】
また、上記各動作のタイミングの説明では、制御動作ごとにサンプリングパルスを追加する区間を設定したが、その区間にレーザ発光部１を連続点灯することももちろん可能である。しかし、本発明の主旨からすると、その区間が短くてもできるだけ電力低減できるように、パルス点灯するのが望ましい。
【００８７】
また、パルス点灯中の高周波モジュール（ＨＦＭ）は、レーザ発光部の点灯時間が短いので基本的に動作させなくてもよい。休止区間はＨＦＭを動作させる必要はないので停止させる。ただし、レーザ発光部の点灯区間にＨＦＭを動作させる場合には、ＨＦＭの応答時間分だけ事前に駆動の必要がある。連続点灯時は、情報再生時を除き、レーザ発光部の性能と動作モードに応じて必要な場合のみに動作させる。間欠アイドリング中のレーザ発光部については、モードホップによるパルス内あるいはパルスごとパワー差が懸念されるが、この部分は全光量によって検出信号を正規化するＡＧＣ技術を利用して緩和する。
【００８８】
また、繰り返しに説明するが、アドレスリード時、情報再生時および情報記録時には、フォーカシングおよびトラッキングの制御精度を高める必要があるので、ＦＥ信号、ＴＥ信号のサンプリング周期を高めるとともに、制御周波数帯域を高くする。特に記録再生時には、本来の連続サーボ制御を行う。
【００８９】
また、レーザ発光部の消灯区間には、後述するように関連する検出系の電力を低減するなどの工夫をすることによって、より低電力の光ディスク装置１００を提供することができる。
【００９０】
また、上記の説明で基本的なアイドリングは、トラッキング制御をしたままとしていたが、光ディスクがプリピットで形成されＴＥ信号を得るのにレーザ発光部を連続発光する必要があるタイプのＲＯＭディスクにおいては、アイドリング時に、トラッキング制御を停止しフォーカシング制御だけを実行してもよい。また、録再動作までのアイドリング時間がある程度長い場合には、一旦上記第２のアイドリング状態に移行し、録再動作前にトラッキング制御を経て、上記情報記録動作または情報再生動作を実施するようにしてもよい。また、記録または再生の実行の待機期間がある程度長いときは、トラッキング制御を停止し、トラッキング制御のための電力を低減してもよい。
【００９１】
図４は、情報記録再生時の一連の制御動作タイミングを示した図であり、図３で説明した制御動作の組み合わせによって、データが再生あるいは記録される様子を示す。
【００９２】
図４（ａ）は一連の情報再生手順を示す。動作状態に示すように手順は順に、停止、起動、アドレス読み、シーク、アドレス読み（シーク確認用）、アイドリング、シーク、アドレス読み（再生トラックの確認）、情報再生（リード）、アイドリングおよび停止とする。各動作におけるレーザ発光部１の制御状態は、動作状態のパターン図で示すが、具体的な点灯制御は図３で示したようにする。情報再生時の区間Ｔ４ａは連続発光とする。
【００９３】
図４（ｂ）は一連の情報記録手順を示す。動作状態に示すように手順は順に、停止、起動、アドレス読み、シーク、アドレス読み（シーク確認用）、アイドリング、シーク、アドレス読み（記録トラックの確認）、情報記録（ライト）、アイドリングおよび停止とする。各動作におけるレーザ発光部１の制御状態は、動作状態のパターン図で示すが、具体的な点灯制御は図３で示したようにする。情報記録時の区間Ｔ４ｂはライトストラテジーによるパルス発光とする。
【００９４】
なお、上記の説明では、データの再生、記録とも録再前にシーク動作を２回実施しているが、１回目のシークとその後のアドレス読みとアイドリングは、予め光ヘッド部１０３を録再すべきトラックの近くに位置づけ、録再までの時間を短縮するためのものである。したがって、次に記録すべきトラックの近傍に光ヘッド部１０３がすでに位置づけられているときには、この３ステップは必ずしも必要ない。ここで説明した一連の情報再生手順は、光ディスク装置１００立上げ時のコントロールデータ読みや、交替処理の管理データ読み、あるいは著作権保護のための鍵情報読みなどユーザデータ以外の再生にも適用する。同様に情報記録手順は、ユーザデータ以外の関連情報の記録にも適用する。
【００９５】
また、ここで説明した一連の情報再生手順および情報記録手順は、停止型間欠動作が必要な場合には、情報再生、情報記録の単位動作にできる。
【００９６】
また、基本的には用途に関わらず、所定の間隔以下で録再動作が発生することが予測されるあるいは分かっている場合には、停止なしの間欠アイドリング動作と録再動作を繰り返すように制御する。特に通常のＰＣペリフェラルとして光ディスク装置１００を使う場合にあっては、一定時間のアクセスが無い場合には、一旦停止動作（スリープ動作）に入り、録再要求があったときに再起動して上記一連のデータの記録再生手順を停止動作なく、間欠アイドリング動作を挟んで実施するようにする。さらには、ＰＣのコマンドとしてアイドル状態を指定できる拡張コマンドを用意して、間欠アイドリング動作または停止動作を明示的に指示して、ホストからの制御をできるようにすれば、システムとしてより適切な低電力処理が実現できる。
【００９７】
また、本実施の形態１における光ディスク装置１００はＰＣに内蔵されるＡＴＡＰＩインタフェース付き装置としたが、ＵＳＢやＩＥＥＥ１３９４などのシリアル・インタフェースを持ったＰＣの外部記憶装置であってもよい。
【００９８】
（実施の形態２）
実施の形態２では、光ヘッド部１０３、レーザ制御部１０４および信号生成部１１２等の光ディスク装置１００の構成要素の動作について更に説明する。
【００９９】
図５および図６は、光ヘッド部１０３およびレーザ制御部１０４と、それら周辺の構成要素を示す図である。実施の形態２で説明する光ディスク装置１００の構成要素は、従来の光ディスク装置の構成を大きく変えることなく、本発明の間欠アイドリングを実現できるように工夫しているので、光ディスク装置の開発期間および製造コストを大幅に低減することができる。
【０１００】
図５においては、図１と同じものには同じ番号を付けた。光ディスク１０１は、基板上に構成されたグルーブ（案内溝）１０１Ｇとその間のランド１０１Ｌ上に記録膜が形成され、その上に例えば０．１ｍｍと薄いカバー層１０１Ｃが形成された構造になっている。トラックピッチは例えば、０．３２μｍと微細である。アドレス情報はグルーブ１０１Ｇが、紙面に向かって左右方向の偏移状態（ウオブル）によって予め記録されている。
【０１０１】
光ヘッド部１０３は、レーザ発光部１と、パワー検出部２と、光検出部３と、ビームスプリッタ２０１と、対物レンズ２０２と、高周波モジュール２０４と、温度センサ２０６とを備える。信号生成部１１２は、信号生成マトリクス増幅器２０３と、サンプル・ホールド回路（Ｓ／Ｈ）２０９、２１０および２１１とを備える。レーザ制御部１０４は、レーザ駆動回路２０５と、パワー検出信号増幅器２０７と、サンプル・ホールド回路（Ｓ／Ｈ）２０８とを備える。
【０１０２】
光ヘッド部１０３が備えるレーザ発光部１は波長が約４０５ｎｍの青紫色レーザであって、そこから発光された光は、不図示のコリメータによって略並行光とされ、ビームスプリッタ２０１を通過し、ＮＡ０．８５の対物レンズ２０２でグルーブ１０１Ｇ上に録再光ビーム２０２Ｂとして形成される。録再光ビーム２０２Ｂは、短波長に比例し、ＮＡに反比例して非常に小さく絞り込まれ、高密度の録再が実現される。具体的に波長６５０ｎｍの赤色レーザとＮＡ０．６のレンズを使うＤＶＤと比べると、直径は１／２以下となり記録密度は４倍以上となる。光ディスク１０１で反射された光は、対物レンズ２０２に戻り、ビームスプリッタ２０１で光路が変更され、不図示の検出光学系を介して、複数のパターン化した受光領域から構成される光検出部３に入射される。光検出部３で検出した情報は信号生成マトリクス増幅器２０３に入力される。
【０１０３】
一方、レーザ発光部１は、高周波モジュール（ＨＦＭ）２０４および光ヘッド部１０３外部のレーザ駆動回路２０５で並列駆動される。通常の光ディスク装置１００では録再準備動作時のレーザ発光部１の連続発光時にもＨＦＭ２０４を駆動するが、本実施の形態２では、ＨＦＭ２０４を駆動するのは、基本的に情報再生のときとする。レーザ発光部１の出射パワーはパワー検出部２で検出される。図５では、レーザ発光部１の出射面と反対面から出る後光でパワー検出しているが、出射光の一部をパワー検出部２に導入してパワーを検出するいわゆる前光検出してもよい。温度センサ２０６はレーザ発光部１のパッケージ温度を計測するためのものであり、特にレーザ発光部１の温度が、保証温度の上限６０〜７０℃に対してどの温度範囲にあるかによって、低電力化や録再制御方法を変えたり、装置ユーザに警告を与えたりする目的で設置している。また例えば、レーザ発光部１の動作保証温度より所定値以上温度が低い場合には、ＰＬ信号の周期を短くしてＦＥ信号およびＴＥ信号のサンプリング周期を短くするとともに、フォーカシング制御およびトラッキング制御の制御周波数帯域を高くして、制御性能を向上させることが可能である。このように、レーザ制御部１０４は、レーザ発光部１の温度がレーザ発光部１の動作保証温度より所定値以上低い場合には、レーザ発光部１の発光周期を、レーザ発光部１の温度が動作保証温度より所定値以上低くない場合のレーザ発光部１の発光周期よりも短くする。動作保証温度よりもレーザ発光部１の温度が低い動作環境下でも、間欠アイドリングを実施しつつ、動作の信頼性の高い光ディスク装置が提供できる。
【０１０４】
パワー検出部２で検出されたパワー検出信号はパワー検出信号増幅器２０７で増幅され、サンプル・ホールド回路（Ｓ／Ｈ）２０８を介して、レーザ駆動回路２０５にフィードバックされる。Ｓ／Ｈ２０８は、ＰＬ信号がハイとのときにパワー検出信号をサンプルし、ロウのときにホールドするようにして、レーザ発光部１が点灯中のときのパワー検出信号によってパワー制御する。ＰＬ信号はレーザ駆動回路２０５にも入力され、レーザ発光部１のオン、オフが制御される。レーザ駆動回路２０５は、情報再生時のときには、ＰＬ信号をハイのままとしてレーザ発光部１を連続発光させる。また、情報記録時には、ＷＴ信号群によってライトストラテジーに適合したパルス状の記録パワーが出射される。
【０１０５】
一方、信号生成マトリクス増幅器２０３からは、サンプル・ホールド回路（Ｓ／Ｈ）２０９、２１０および２１１を通して、それぞれＲＦ信号、ＦＥ信号およびＴＥ信号を得る。Ｓ／Ｈ２０９は、録再準備中のアドレス再生時にＰＡ信号によって、レーザ発光部１点灯時のＲＦ信号をサンプルする。Ｓ／Ｈ２１０は、録再準備中のフォーカシング制御時にＰＦ信号によって、レーザ発光部１点灯時のＦＥ信号をサンプルする。Ｓ／Ｈ２１１は、録再準備中のトラッキング制御時およびシーク中の溝カウント時にＰＴ信号によって、レーザ発光部１点灯時のＴＥ信号をサンプルする。情報再生時と情報記録時にはＰＡ信号、ＰＦ信号およびＰＴ信号は常にＨとして、常時サンプルによって、アドレス読み、フォーカス、トラッキング制御性能を向上させる。ＰＬ信号は、上記実施の形態１と同じく、ＰＡ信号、ＰＦ信号およびＰＴ信号を論理和ＯＲで生成する。
【０１０６】
以上のように、本実施の形態２では、通常の光ディスク装置の制御回路に、サンプル・ホールド回路（Ｓ／Ｈ）を追加するだけで、本発明の間欠アイドリングを簡単に実現することができる。
【０１０７】
なお、レーザ発光部が消灯している非発光区間の信号を別途検出し、サンプル・ホールドしたＲＦ信号、ＦＥ信号およびＴＥ信号から、回路オフセット、ドリフトや、光学系オフセットをキャンセルすることで、検出制御性能を向上させることができる。また、ＦＥ信号およびＴＥ信号は、レーザ発光部のＡＳ和信号を検出してＡＧＣ処理するのが好ましい。
【０１０８】
図６は、レーザ制御部１０４およびその周辺部の構成をより具体的に示す。図６において、レーザ発光部１とパワー検出部２は、それぞれダイオード記号で示したが、それぞれは電源３０１および電源３０２を電源とする。電流源３０３はレーザ発光部１の再生パワー電流を決めるための電流源であり、ＰＬ信号によって制御されるスイッチ３０４によってオン・オフされる。記録電流制御部３０５は、レーザ発光部１の記録パワーを決める電流源群と、電流源それぞれに接続されるスイッチ群とを備える。記録動作の詳細は省略するが、記録時にはスイッチ３０４がオフされ、記録電流制御部３０５によって多値の記録パワーのレベルを有するマルチパルスが生成され、そのマルチパルスによってレーザ発光部１が発光する。
【０１０９】
増幅器３０６は、パワー検出部２のパワー検出電流を増幅する。増幅器３０６は、定常電流を流す電流源３０７と、スイッチ３０８によってオン・オフされる電流源３０９とで駆動される。ＰＬ信号がハイの時にはタイミング調整部３１０で調整された信号によってスイッチ３０８がオンされる。これにより、増幅器３０６の動作周波数帯域は、レーザ発光部１点灯区間中のみ高くなる。ＰＬ信号がロウのときには、電流源３０７から出力される電流だけを増幅器３０６に流して消費電流を低減する。
【０１１０】
スイッチ３１１とコンデンサ３１２と増幅器３１３は、サンプル・ホールド回路および誤差アンプとして機能する。ＰＬ信号がハイ、ロウのときに、スイッチ３１１はそれぞれオン、オフし、レーザ発光部１の点灯時のパワー検出信号がコンデンサ３１２にサンプルされ、消灯時はホールドされる。スイッチ３１１の制御信号は、レーザ発光部１の発光時のパワー検出信号のみがサンプルされるようにタイミング調整部３１０によって調整される。サンプル・ホールドされた信号の電圧値と、再生パワー基準電圧であるＶｐの値とが同じになるよう、増幅器３１３の出力は電流源３０３にフィードバックされ、発光パワー制御が行われる。増幅器３１３は増幅器３０６と同じように、定常電流を流す電流源３１４と、スイッチ３１５でオン・オフされる電流源３１６とによってで駆動される。ＰＬ信号がハイの時には、タイミング調整部３１０で調整された信号によってスイッチ３１５がオンされる。これにより、増幅器３１３の動作周波数帯域はレーザ発光部１点灯区間時のパワー検出信号サンプル時のみ高くなる。ＰＬ信号がロウのときには、電流源３１４から出力される電流だけを増幅器３１３に流して消費電流を低減する。
【０１１１】
このように図６に示す回路構成では、パワー検出信号の増幅部およびサンプル・ホールド部の消費電流を、レーザ発光部の消灯時には低減することにより、レーザ発光部以外の低消費電力化を実現している。
【０１１２】
また、図５に示す信号生成マトリクス増幅器２０３やＳ／Ｈ２０９、２１０および２１１においても、増幅器３０６および３１３のように、レーザ発光部１の点灯時と消灯時で消費電流を制御して、平均的な消費電流を低減するようにしてもよい。こうすることで、より低電力の光ディスク装置１００を実現できる。
【０１１３】
また、小型、低ノイズ、高性能化のため、上記の光検出部３、信号マトリクス増幅器２０３等をＯＥＩＣ（Ｏｐｔｏ−Ｅｌｅｃｔｒｏｎｉｃ  Ｉｎｔｅｇｒａｔｅｄ  Ｃｉｒｃｕｉｔ）として集積化してもよい。この場合は、上記Ｓ／Ｈ２０９ないし２１１をも集積化することで、本発明の間欠アイドリングを容易に実現できる。また、上記ＯＥＩＣは光ヘッド部１０３上に設けられるので、光ヘッド部１０３に搭載される増幅器の消費電力もレーザ発光部１と同様に低電力化できる。これにより、光ヘッド部１０３の電力消費および温度上昇を抑えることができる。また、間欠アイドリング動作が可能な光ディスク装置を小型コンパクトに実現することができる。
【０１１４】
なお、ＯＥＩＣにはさらに、図６で説明したパワー検出系（パワー検出部２、増幅器３０６および増幅器３１３）を集積してもよい。また、ＯＥＩＣ上にレーザ発光部１のチップをボンディングし、なおかつ光検出光学系なども一体化した集積型光モジュールを形成してもよく、これにより間欠アイドリング機能を幅広く提供できるようになる。ただし、大電力でかつ高速動作のレーザ駆動回路は、ＯＥＩＣとの一体化は困難であるので、ＯＥＩＣとは別チップで、性能が確保できる範囲で温度の影響が少なくなる位置に配置するのが望ましいが、製造技術の進歩によってはＯＥＩＣ内に実装してもよい。
【０１１５】
（実施の形態３）
図７は、本発明の実施の形態３における光ディスク駆動部を搭載したビデオカメラ装置４００を示すブロック図である。このビデオカメラ装置４００はビデオカメラ機能付き光ディスク装置と呼ぶこともできる。
【０１１６】
本発明の間欠アイドリングは、ビデオデータを圧縮して光ディスクに記録するに際して、データ処理速度が光ディスクへの書き込み速度に近い場合でも、光ディスク装置の動作を止めることなく、低消費電力化および温度上昇の抑制が簡単に実現できるので、特に有効である。本実施の形態によれば、光ディスクのランダムアクセス性を活かした、温度耐性に優れた便利なビデオカメラ装置が提供できる。
【０１１７】
ビデオカメラ装置４００は、光ディスク駆動部４０１と、カメラ部４０２と、映像処理部４０３と、映像表示部４０４と、バッファメモリー４０５と、振動・温度検出部４０７と、外部ＡＶ入出力部４０９と、操作部４１０と、ビデオカメラ・システム制御部４１１とを備える。また、ビデオカメラ装置４００には、フラッシュメモリーカード４０６と、電池４０８とが搭載される。
【０１１８】
光ディスクで１０１は、光ディスク駆動部４０１に搭載される。光ディスク駆動部４０１は、上述した間欠アイドリングを実行する光ディスク装置１００と同様の構成要素を備える。光ディスク駆動部４０１は、光ディスク１０１への映像情報および音声情報の記録および光ディスク１０１に記録された映像情報および音声情報の再生を実行する。
【０１１９】
入射光から映像を示す映像情報を生成するカメラ部４０２は、映像を撮影するためのレンズやＣＣＤのほか、音声を取り込むためのマイクなどを備える。カメラ部４０２から出力された映像情報および音声情報は、映像処理部４０３で圧縮伸張処理される。同時に、ＬＣＤを備える映像表示部４０４は映像情報が示す映像を表示する。圧縮された映像情報および音声情報は一旦バッファメモリー４０５に蓄積された後、光ディスク駆動部４０１に順次送られる。データの圧縮処理速度は、光ディスク駆動部４０１が光ディスク１０１へ映像情報および音声情報を記録する速度よりも遅いものとし、光ディスク１０１への映像情報および音声情報の記録は、情報を書き込む区間と、書き込みを休止する待ち状態の区間を交互に繰り返すような間欠的な動作で実施される。本発明の間欠アイドリングは、特に、この待ち状態の区間の消費電力を低減する。
【０１２０】
記録動作の関しては、バッファメモリー４０５、光ディスク駆動部４０１に内蔵したバッファメモリー、さらには内蔵あるいは抜き差し可能なフラッシュメモリーカード４０６を組み合わせて、映像・音声が途切れないように一時的に蓄積するデータ量を管理する。特に振動・温度検出部４０７によって、振動・衝撃を検出して光ディスク駆動部４０１の制御動作が維持できない場合、あるいは光ヘッド部の高温を検出してレーザ発光部の動作保証ができない場合で、記録動作が継続できずバッファメモリーがオーバーフローするような場合には、光ディスク駆動部４０１を停止させ、フラッシュメモリーカード４０６に一旦圧縮データを蓄積しておき、光ディスク駆動部４０１が正常に動作できるようになったら、光ディスク駆動部４０１を動作させて、本来記録すべき光ディスク１０１の位置に記録するようにする。
【０１２１】
フラッシュメモリーカード４０６は不揮発メモリーなので、光ディスク１０１に記録すべき管理データを光ディスク１０１と並列に記録しておき、電池４０８の電圧低下による電池切れや取り外しによって、光ディスク１０１に書き込めなかった管理データをバックアップできる。そして、電池４０８の回復もしくは取り付けによって光ディスク駆動部４０１が再度動作可能になったときには、そのバックアップ情報を光ディスク１０１に書きこんでデータを保全することができる。この場合には、光ディスク１０１もしくはフラッシュメモリーカード４０６の抜き差しでデータの一貫性が失われないよう、光ディスク１０１もしくはフラッシュメモリーカード４０６のＩＤ番号や記録時刻、または光ディスク駆動部４０１のＩＤ番号などを同時に記録することで、データの一貫性を保証する。また、データの一貫性が失われるような場合には、メカニカルに光ディスク１０１および／またはフラッシュメモリーカード４０６をロックして抜き出せないようにして、データの一貫性を保証する手段も有効である。
【０１２２】
本装置は、カメラ部４０２以外の外部ＡＶ入出力部４０９からの映像および音声データも録画できるようにしている。当然、著作権保護ルールに基づいた録画しかできないようにする。これら撮影および録画動作における各ブロック制御は、ユーザによる操作部４１０の操作に基づき、ビデオカメラ・システム制御部４１１を介して行われる。
【０１２３】
次に再生動作について説明する。再生動作は、操作部４１０の操作に基づき実施されるが、通常は、光ディスク１０１のコンテンツが映像表示部４０４にサムネイルとして表示され、それをユーザが選択することで動画が再生される。まず対象となる圧縮データを光ディスク１０１から読出し、バッファメモリー４０５に蓄積し、圧縮データが一定量になったら映像処理部４０３の伸張動作（解凍動作）で、録画された映像および音声データは、映像表示部４０４に出力すると共に、外部ＡＶ入出力部４０９を介して外部のＴＶなどに出力される。再生の場合も、光ディスク１０１からの読出し速度よりも、映像処理部４０３へのデータ入力速度の方が遅い。したがって、再生中には光ディスク１０１からの読出した圧縮データは一旦バッファメモリー４０５に蓄積され、映像処理部４０３へは、バッファメモリー４０５から圧縮データが連続的に供給される。しかし、光ディスク１０１からの情報再生動作は、バッファメモリー４０５がオーバーフローしそうになったら一旦停止する。再生動作停止中は、光ディスク駆動部４０１は間欠アイドリングを用いた待ち状態となって電力消費を減らす。バッファメモリー４０５に所定の空きができたら、再生動作を再開する。以上記録と同じくバースト的な間欠再生を行う。
【０１２４】
以上のビデオカメラ機能付き光ディスク装置は、一般に小型の一つの筐体に収められ、各ブロックの電力消費により庫内の温度上昇が発生するので、適切な放熱が必要になる。特に前述したように、レーザ発光部の温度上昇は、装置の使用温度や信頼性を決めるクリチカルなものである。従って本発明の間欠アイドリングを光ディスク駆動部４０１に適用すれば、レーザ発光部ほか周辺の回路を効率的に低電力化し、温度上昇を抑えることができる。本実施の形態３のビデオカメラ装置４００（ビデオカメラ機能付きの光ディスク装置）においては、特に間欠アイドリングの効果は大きいと言える。
【０１２５】
なお、本実施の形態３で説明した装置はビデオカメラ機能付きの光ディスク装置としたが、本発明はオーディオ専用機能やデータ収集機能などを付けた光ディスク装置にも適用可能である。
【０１２６】
以上で実施の形態３の説明を終了するが、実施の形態１ないし３の説明を通じて、サンプル点での誤差信号の品質不良で、低周波数でのサンプルでは制御が不十分な場合も想定される。その場合は、あらかじめＳＴＯＮするトラックを連続点灯で検査してから、品質不良箇所のないトラックに移って、間欠アイドリングに入るか、不良箇所を避けるように点灯箇所を決定して、良好なＦＥ信号およびＴＥ信号のみを用いて間欠アイドリングを維持すればよい。誤差信号の品質検査は、ＦＥもしくはＴＥが、ディスク上欠陥もしくは埃によって、乱されていないかでチェックする。ただし、間欠アイドリング後に、アクセスすべきトラックが決められており、ある程度以下の長さの品質不良があるトラックでＳＴＯＮを継続するほうが望ましい場合があるので、これに対しては、前述したように、間欠アイドリング時のＳＴＯＮ時には、品質不良区間の各誤差信号をホールドするなどすればよい。
【０１２７】
また、以上の実施の形態の説明ではレーザ発光部はキャン型でＯＥＩＣとは別位置に取り付けられていたが、レーザ発光部とＯＥＩＣさらには光学系などを一体化したいわゆる集積型モジュールを使った超小型ヘッドの場合には、特に放熱がより難しくなるので、本発明は効果的である。
【０１２８】
また、以上の実施の形態の説明では、レーザ発光部の駆動はスイッチングにより、発光時は正常な再生パワーが出る電流を流し、非発光時は電流を遮断して、パルス的にレーザ発光部を駆動しレーザ発光部への平均電流を最小化した。しかし、パルス駆動時のレーザ発光部の性能安定化のために若干の熱バイアスを加えるため、しきい値電流以下の少量のバイアス電流を流すことや、休止区間の特定区間にのみ所定の電流を流してもよい。さらに、駆動電流にノイズ低減のため、電流のスルーレートをコントロールする以外に、アナログ的に電流を変化させる方法も実施しても、本発明の固有の効果は十分確保できる。
【０１２９】
また、以上の実施の形態で述べた光ディスクは、ＭＤやＤＶＤ−ＲやＢｌｕ−ｒａｙなどに代表される連続溝の光ディスクについて述べた。しかし、サンプルサーボ方式の光ディスクでは、サーボ制御すべきピット区間をあらかじめ特定したあとは、その区間だけレーザ発光部を点灯させればよく、特に本発明は好適である。さらに、サンプルサーボ方式において、アドレス情報がサーボ制御すべきピット区間に含まれておれば、サーボ制御すべきピット区間を通るときにレーザ発光部を発光させることで、アドレスを読みながらのアイドリングを行うことができる。また、ＰＤやＤＶＤ−ＲＡＭのようにセクタ構造を有する光ディスクにあっては、アドレス情報記録区間はレーザ発光部を連続発光させ、データ記録区間では点滅させることによって、本発明固有の効果が得られる。
【０１３０】
また、ＲＯＭディスクのプリピットに点滅光を当てるだけでＴＥ信号が得られる場合には、本発明の間欠アイドリングをそのまま実施できる。しかし、位相差ＴＥ検出のように、ある程度連続して光を当てないと、ＴＥが精度よく検出できないものでは、フォーカシング制御のときだけ間欠アイドリングにする準備状態で記録および再生の実行を待機することも可能である。
【０１３１】
また、本発明の間欠アイドリングは、光ディスクの種類や、レーザ発光部の波長によらず、あらゆる光ディスク装置に適用可能である。
【産業上の利用可能性】
【０１３２】
本発明によれば、第１の動作時には第１の周期でレーザ発光部を発光させ、第２の動作時には第２の周期でレーザ発光部を発光させる。また、第１の周期と第２の周期とは互いに異なる周期である。各動作に応じてレーザ発光部の発光周期を調整することにより、各動作を確実に実行するとともに、レーザ発光部の温度上昇および消費電力を抑えることができる。また、レーザ発光部の温度上昇を抑えることができ、且つレーザ発光部の駆動時間を短くすることができるので、レーザ発光部の寿命を延ばすことができる。
【０１３３】
本発明によれば、光ディスク装置の記録または再生の準備動作時にレーザ発光部を間欠パルス駆動することによって、レーザ発光部の消費電力を略ゼロ（連続発光時の１％以下）と劇的に低減できる。そのため、特に情報を断続的に記録または再生する光ディスク装置にあっては、実質的に記録または再生時にのみレーザ発光部を使っていることになり、レーザ発光部の温度上昇をきわめて小さくできる。その結果、本発明の光ディスク装置もしくはそれを内蔵する装置は、本発明を適用しない装置が使用できないような高温雰囲気下でも使用できる。またこの特徴を別角度でみると、光ディスク装置の周囲温度が同一の場合には、本発明を適用した光ディスク装置はレーザ発光部の温度上昇を低くできるので、レーザ発光部の動作寿命を伸ばすことができる。
【０１３４】
さらに本発明は、レーザ発光部の使用時間の面からも、レーザ発光部の寿命は延ばすことができる。一般に光ディスク装置は、記録または再生の準備動作の期間を、記録または再生の前後に必要とする。この準備動作のときに間欠アイドリングを行うことで、オフ区間中はレーザ発光部の駆動を停止してレーザ発光部を非動作状態にできる。これにより、準備動作中のレーザ発光部の累積動作時間を実質的に無視できるほど小さくできるので、ユーザから見たレーザ発光部の寿命は大きく延びる。言い替えると、光ディスク装置の寿命は、ほぼ記録および再生動作の累積時間で決まり、記録および再生の準備動作時の時間は実質的に光ディスク装置の寿命に影響を与えない。さらに、本発明によると、低電力消費で光ディスク装置を記録または再生の準備状態に維持でき、且つすぐに記録または再生状態に入れるので、光ディスクからの映像情報の再生などのユーザ要求に対してクイックレスポンスが可能である。
【０１３５】
さらに、本発明によると、レーザ発光部ならびに他の回路の電力が抑えられるので、低消費電力の光ディスク装置が提供できる。特にポータブルで電池駆動型の装置では、電池寿命が延ばせる、あるいは、より小型の電池でも同じ時間駆動ができる長所を提供することができる。また、低消費電力化によって温度上昇が抑えられるので、より小型の光ディスク装置が提供できる。
【０１３６】
本発明は、レーザ発光部の動作信頼性の確保と長寿命化とを実現しつつ、光ディスク装置ならびにその搭載機器の低電力化ならびに高温時の動作保証をも実現する。
【０１３７】
以上説明したように、本発明の実用効果は非常に大きい。
【図面の簡単な説明】
【０１３８】
【図１】実施の形態１の光ディスク装置のブロック図
【図２】実施の形態１の半導体レーザ制御の基本タイミング図
【図３】実施の形態１の制御動作ごとのレーザ発光部発光タイミング図
【図４】実施の形態１の情報記録再生タイミング図
【図５】実施の形態２の光ディスク装置の光ヘッド部と周辺路の構成図
【図６】実施の形態２の光ディスク装置のレーザ駆動部の構成図
【図７】実施の形態３のビデオカメラ機能付き光ディスク装置のブロック図
【符号の説明】
【０１３９】
１  レーザ発光部
２  パワー検出器
３  光検出器
１０１  光ディスク
１０２  ディスクモータ
１０３  光ヘッド
１０４  レーザ制御部
１０５  記録制御部
１０６  ＡＴＡＰＩインタフェース
１０７  インタフェース部
１０８  バッファメモリー
１０９  シスコン部
１１０  モータ制御部
１１１  ＯＲ回路部
１１２  信号生成部
１１３  アドレス再生部
１１４  再生信号処理部
１１５  フォーカシング制御部
１１６  トラッキング制御部
ＰＬ  再生時半導体レーザオン・オフ信号
ＰＡ  アドレス再生区間信号
ＰＦ  フォーカス誤差（ＦＥ）信号検出区間信号
ＰＴ  トラッキング誤差（ＴＥ）信号検出区間信号
１０１Ｃ  カバー層
１０１Ｇ  グルーブ
１０１Ｌ  ランド
２０１  ビームスプリッタ
２０２  対物レンズ
２０２Ｂ  録再光ビーム
２０３  信号生成マトリクス増幅器
２０４  高周波モジュール（ＨＦＭ）
２０５  レーザ駆動回路
２０６  温度センサ
２０７  パワー検出信号増幅器
２０８〜２１１  サンプル・ホールド回路（Ｓ／Ｈ）
３０１，３０２  電源
３０３  電流源（再生パワー用）
３０４  スイッチ（低滅用）
３０５  記録電流制御部
３０６，３１３  増幅器
３０７，３０９，３１４，３１６  電流源（増幅器用）
３０８，３１５  スイッチ（電力低減用）
３１１  スイッチ（Ｓ／Ｈ用）
３１２  コンデンサ（Ｓ／Ｈ用）
３１０  タイミング調整部（ＰＬ信号幅調整）
４０１  光ディスク駆動部
４０２  カメラ部
４０３  映像処理部
４０４  映像表示部
４０５  バッファメモリー
４０６  フラッシュメモリーカード
４０７  振動・温度検出部
４０８  電池
４０９  外部ＡＶ入出力部
４１０  操作部
４１１  ビデオカメラ・システム制御部
【図１】
2004355795.tif 000003
【図２】
2004355795.tif 000004
【図３】
2004355795.tif 000005
【図４】
2004355795.tif 000006
【図５】
2004355795.tif 000007
【図６】
2004355795.tif 000008
【図７】
2004355795.tif 000009